(57)【要約】【課題】ビーム光を使って墨出しを行う装置において、墨出し面に凹凸があったとしてもその凹凸の影響を受けることなく直線の線を描くことができるようにする。【解決手段】墨出し面Ａには、感光剤或いは着色剤によって着色された光硬化樹脂が塗布され、光源２からは、該感光剤を発色させる或いは該光硬化樹脂を硬化させるビーム光Ｂが照射されるようになっている。また、本発明に係る墨出し装置１は、墨出し面Ａの凹凸を検知する凹凸検知手段３と、光源２からのビーム光Ｂの入射角度を随時変更する入射角度変更手段４と、を備えている。これにより、墨出し面Ａに凹凸があったとしてもその凹凸の影響を受けることなく直線の光跡を描くことができる。ビーム光Ｂが照射されなかった部分を作業者が除去することにより、直線の墨出し線が前記墨出し面Ａに残ることとなる。【選択図】図６
2019015511.tif 000002
【特許請求の範囲】
【請求項１】
ビーム光を所定の面（以下、“墨出し面”とする）に走査して墨出しを行う墨出し装置において、
感光剤或いは着色剤によって着色された光硬化樹脂が塗布されてなる前記墨出し面に、該感光剤を発色させる或いは該光硬化樹脂を硬化させるビーム光を走査する光源と、
該墨出し面の凹凸を検知する凹凸検知手段と、
該凹凸にかかわらず該墨出し面の正面から見て直線の光跡が描けるように前記ビーム光の入射角度を前記凹凸検知手段による検知結果に基づいて随時変更する入射角度変更手段と、
を備えたことを特徴とする墨出し装置。
【請求項２】
前記凹凸検知手段は、墨出しを行う構造物のＣＡＤデータを記憶している手段及びステレオ写真である、
ことを特徴とする請求項１に記載の墨出し装置。
【請求項３】
前記凹凸検知手段は、前記墨出し面のステレオ写真を撮影するカメラと、該カメラにより撮影したステレオ写真から前記墨出し面の凹凸を解析する凹凸解析部と、を有する、
ことを特徴とする請求項２に記載の墨出し装置。
【請求項４】
前記凹凸検知手段は、墨出しを行う構造物のＣＡＤデータを記憶している手段及び３Ｄスキャナーである、
ことを特徴とする請求項１に記載の墨出し装置。
【請求項５】
前記凹凸検知手段は、前記３Ｄスキャナーにて取得したデータから前記墨出し面の凹凸を解析する凹凸解析部、を有する、
ことを特徴とする請求項４に記載の墨出し装置。
【請求項６】
ビーム光を所定の面（以下、“墨出し面”とする）に走査して墨出しを行う墨出し方法において、
該墨出し面の凹凸を検知する工程と、
感光剤或いは着色剤によって着色された光硬化樹脂を前記墨出し面に塗布する工程と、
該墨出し面の凹凸にかかわらず該墨出し面の正面から見て直線の光跡が描けるように入射角度を調整しながら前記感光剤を発色させる或いは該光硬化樹脂を硬化させるビーム光を前記墨出し面に走査する工程と、
を備えたことを特徴とする墨出し方法。
【発明の詳細な説明】
【技術分野】
【０００１】
本発明は、ビーム光を所定の面に走査して墨出しを行う墨出し装置及び墨出し方法に関する。
【背景技術】
【０００２】
建築工事において、仕上げ工事の前に建物の柱の中心線や床・壁の仕上げ面の位置など、工事の基準となる線を構造体などにしるすことを墨出しという。現在、墨出しをするには、レーザー墨出し装置、オートレベルなどでレーザー光を床、壁、天井に当てて、水平や垂直、高さを確認し、墨壺を用いて床、壁、天井等の上に直線を引いたり、建物の位置を出したりすることが行われている。具体的には、図９に例示するように、地墨ポイントなどの基準となる点を基にしてレーザー墨出し装置を使って床や壁や天井等に直線を表示し、実際に線を描く作業は墨出し工が手作業で行うこととなる。なお、図中の符号Ｌ１は床の墨を示し、符号Ｌ２は壁の墨を示し、符号Ｌ３は天井の墨を示し、符号Ｎは地墨ポイントに置いたレーザー墨出し装置を示し、符号Ｍ１は鉛直点を示している。
【０００３】
しかし、その場合は、作業に時間がかかってしまい、また、墨出しの精度は墨出し工の熟練度に依存せざるを得ないという問題点があった。また、図９の使用例で示されているようにレーザー光の放射で作り出した３次元空間内の平面を床、壁、天井等に投影しているため、平面と床、壁、天井等が交差する線を表示するのみであり、平面以外のレーザー放射の形を作り出すことは出来ないという問題もあった。
【０００４】
また、前記墨出し装置については種々の構造のものが提案されている（例えば、特許文献１及び２参照）。この種の墨出し装置は、上述のように工作物に対してビーム光源から線状にビーム光を走査するというものであり、操作が簡便なために種々の作業現場にて使用されている。
【先行技術文献】
【特許文献】
【０００５】
【特許文献１】特開２０１０−１９７１２２号公報
【特許文献２】特開２００８−２５６５３１号公報
【発明の概要】
【発明が解決しようとする課題】
【０００６】
しかしながら、ビーム光を使った墨出し装置の場合は、墨出し線を表示するためにビーム光を走査し続けなければならず、多くの墨出し線を表示するには多くの墨出し装置を使用しなければならないという問題があった。
【０００７】
また、図１０（ａ）に例示するようにビーム光Ｂを走査する面Ａに段差Ｄ１や凹凸Ｄ２があると、一定の入射角度θ１でビーム光Ｂを照射したとしても、正面から見た光跡は同図（ｂ）に例示するようになって、必ずしも直線とはならないという問題もあった。
【０００８】
本発明は、上述の問題を解消することのできる墨出し装置及び墨出し方法を提供することを目的とするものである。
【課題を解決するための手段】
【０００９】
本発明の第１の観点は、図６に例示するものであって、ビーム光（Ｂ）を所定の面（符号Ａ参照。以下、“墨出し面”とする）に走査して墨出しを行う墨出し装置（１）において、
感光剤或いは着色剤によって着色された光硬化樹脂が塗布されてなる前記墨出し面（Ａ）に、該感光剤を発色させる或いは該光硬化樹脂を硬化させるビーム光（Ｂ）を走査する光源（２）と、
該墨出し面（Ａ）の凹凸を検知する凹凸検知手段（３）と、
該凹凸にかかわらず該墨出し面（Ａ）の正面から見て直線の光跡が描けるように前記ビーム光（Ｂ）の入射角度を前記凹凸検知手段（３）による検知結果に基づいて随時変更する入射角度変更手段（４）と、を備えたことを特徴とする。
【００１０】
本発明の第２の観点は、前記凹凸検知手段（３）が、墨出しを行う構造物のＣＡＤデータを記憶している手段及びステレオ写真であることを特徴とする。
【００１１】
本発明の第３の観点は、前記凹凸検知手段（３）が、前記墨出し面（Ａ）のステレオ写真を撮影するカメラ（不図示）と、該カメラにより撮影したステレオ写真から前記墨出し面（Ａ）の凹凸を解析する凹凸解析部（不図示）と、を有することを特徴とする。
【００１２】
本発明の第４の観点は、前記凹凸検知手段（３）が、墨出しを行う構造物のＣＡＤデータを記憶している手段及び３Ｄスキャナーであることを特徴とする。
【００１３】
本発明の第５の観点は、前記凹凸検知手段（３）が、前記３Ｄスキャナーにて取得したデータから前記墨出し面の凹凸を解析する凹凸解析部、を有することを特徴とする。
【００１４】
本発明の第６の観点は、ビーム光（図６の符号Ｂ参照）を所定の面（符号Ａ参照。以下、“墨出し面”とする）に走査して墨出しを行う墨出し方法において、
該墨出し面（Ａ）の凹凸を検知する工程と、
感光剤或いは着色剤によって着色された光硬化樹脂を前記墨出し面（Ａ）に塗布する工程と、
該墨出し面（Ａ）の凹凸にかかわらず該墨出し面（Ａ）の正面から見て直線の光跡が描けるように入射角度を調整しながら前記感光剤を発色させる或いは該光硬化樹脂を硬化させるビーム光（Ｂ）を前記墨出し面（Ａ）に走査する工程と、を備えたことを特徴とする。
【００１５】
なお、括弧内の番号などは、図面における対応する要素を示す便宜的なものであり、従って、本記述は図面上の記載に限定拘束されるものではない。
【発明の効果】
【００１６】
上記した第１乃至６の観点によれば、前記墨出し面には感光剤或いは着色剤によって着色された光硬化樹脂が塗布されており、前記ビーム光は該感光剤を発色させる或いは該光硬化樹脂を硬化させるものであるので、該ビーム光によって走査された部分の感光剤は発色させられる或いは該光硬化樹脂を硬化させることとなる。該光硬化樹脂を使用した場合には、該ビーム光によって硬化されていない部分を作業者が除去することにより、硬化された部分（前記ビーム光が走査された線状の部分）が残り、該部分を墨出し線として利用することができる。また、前記感光剤を使用した場合には、この感光剤の発色部分は、明確に目視でき、墨出し線として利用することができる。また、前記墨出し面に凹凸があったとしてもその凹凸の影響を受けることなく、正面から見て直線の線を描くことができる。
【図面の簡単な説明】
【００１７】
【図１】図１は、本発明に係る墨出し方法の一例を示すフローチャート図である。
【図２】図２は、本発明に係る墨出し装置の構造等の一例を示すブロック図である。
【図３】図３は、キャリブレーションをする様子の一例を示す斜視図である。
【図４】図４は、後方交会を実施する様子の一例を示す斜視図である。
【図５】図５は、ＣＡＤデータと描画データを入力する工程を説明するための斜視図である。
【図６】図６は、本発明に係る墨出し装置の構成の一例を示す模式図である。
【図７】図７は、光源の構成の一例を示す模式図である。
【図８】図８（ａ）（ｂ）は、本発明の効果を説明するための模式図である。
【図９】図９は、レーザー墨出し装置の使用状態の従来例を示す斜視図である。
【図１０】図１０（ａ）（ｂ）は、従来の問題点の一例を説明するための模式図である。
【発明を実施するための形態】
【００１８】
以下、図１乃至図８に沿って、本発明の実施の形態について説明する。
【００１９】
まず、本発明に係る墨出し方法の好適な実施の形態について説明する。
【００２０】
本発明に係る墨出し方法は、図１に例示するものであって、
・  ＰＣ（パーソナルコンピュータ）から上下左右回転ミラー（図２の符号５３参照）への回転角度とレーザービームの振れ角との相関を測定する工程（キャリブレーション工程、同図Ｓ１参照）と、
・  基準点とレーザースポットをあわせた後に後方交会によるレーザー墨出し装置のポーズ計算をする工程（後方交会工程、同図Ｓ２参照）と、
・  墨出しをする床、壁などのＣＡＤデータと墨出しする線の開始点と終点の３次元位置を入力する工程（ＣＡＤデータと描画データを入力する工程、同図Ｓ３参照）と、
・  墨出し予定位置周辺に感光剤或いは着色剤によって着色された光硬化樹脂を塗布する工程（感光剤等塗布工程、同図Ｓ４参照）と、
・  ＰＣからの制御による自動的なレーザー墨出しをする工程（レーザー墨出し工程、同図Ｓ５参照）と、
からなる。
【００２１】
以下、この墨出し方法について詳細に説明する。
【００２２】
＜キャリブレーション工程＞
この工程では、あらかじめＰＣから上下左右回転ミラー５３への回転角度とレーザービームの振れ角との相関を以下の方法で測定する。
【００２３】
キャリブレーションでは、図２のように装置からある距離に装置に垂直に面して設置した板にレーザースポットをあてて、以下のステップ１〜４を行う。
【００２４】
ステップ１：
ミラー５３が上下左右に回転してもレーザーが反射する位置が変わらないように設定しておき、その位置を原点とする。原点からのレーザービームがでる基準方向をｚ軸とし、ｚ＝ｚ１の位置にＺ軸に垂直な面をＸＹ平面とし、その面に板を設置する。
【００２５】
ステップ２：
このＸＹ平面の板に任意数の複数ポイントを決める。図３では、アレー状にＸＹ平面にｎｘ  ｘ  ｎｙのポイントが決められている。それぞれのポイントの座標（ｘｉ，ｙｉ，ｚ１）をもとに、（θｘｉ，θｙｉ）を計算しておく。
【００２６】
ステップ３：
キャリブレーションの設定者が投影されたレーザースポットを見ながら制御コンピュータを制御してそれぞれのポイントにレーザービームを当て、そのときの、コマンドデータ（ＭｉｒｒｏｒＸｉ，ＭｉｒｒｏｒＹｉ）の値を記録する。これをすべてのポイントに対して行う。
【００２７】
ステップ４：
この測定により、（θｘ，θｙ）の２次元空間における計測した角度（θｘｉ，θｙｉ）と、コマンドデータ（ＭｉｒｒｏｒＸ，ＭｉｒｒｏｒＹ）の２次元空間における計測したコマンドデータ（ＭｉｒｒｏｒＸｉ，ＭｉｒｒｏｒＹｉ）の関係を求めることができる。これをもとに、任意の（ＭｉｒｒｏｒＸ，ＭｉｒｒｏｒＹ）があたえられたとき、計測された（θｘｉ，θｙｉ）←→（ＭｉｒｒｏｒＸｉ，ＭｉｒｒｏｒＹｉ）の関係をもとに最小二乗法による最適関数の推定することにより、（θｘ，θｙ）を求めることが出来る。関数の代表例として、ｎ次多項式を用いることができる。また、逆に、任意の（θｘ，θｙ）があたえられたとき、計測された（θｘｉ，θｙｉ）←→（ＭｉｒｒｏｒＸｉ，ＭｉｒｒｏｒＹｉ）の関係をもとに最小二乗法による最適関数の推定することにより、（ＭｉｒｒｏｒＸ，ＭｉｒｒｏｒＹ）を求めることも出来る。
【００２８】
＜後方交会工程＞
この工程では、図４に例示するように、墨出しをする構造物（例えば、部屋）の任意の位置に自動レーザー墨出し装置を設置し、後方交会によって装置の位置と姿勢を以下の方法で計測する。
【００２９】
すなわち、現場において、トータルステーション等で３次元位置が計測して位置が既知の複数点（図４中に符号Ｐで示す点）にレーザースポットをあわせ、そのときに読み取ったコマンドデータ（ＭｉｒｒｏｒＸ，ＭｉｒｒｏｒＹ）の値をもとに（θｘ，θｙ）を求める。これらの既知点は後に墨出しする線上にある必要はなく、任意の位置で良い。それぞれに既知点についてその３次元位置と（θｘ，θｙ）を得た後に、ＰｎＰ（Ｐｅｒｓｐｅｃｔｉｖｅ  ｎ  Ｐｏｉｎｔｓ）問題を解くことにより、自動レーザー墨出し装置の位置姿勢を求める。ＰｎＰ問題を解くには最低４個必要であるが、多いほうが墨出し装置の位置姿勢はより正確になる。
【００３０】
＜ＣＡＤデータと描画データを入力する工程＞
この工程では、墨出しをする床、壁、天井の面の位置情報がふくまれているＣＡＤデータおよび墨出しをする線の開始点と終点（図５中に符号Ｑで示す点）の３次元位置を自動レーザー墨出し装置に入力する。なお、床、壁、天井の面の位置情報は、ＣＡＤデータから得る方法以外に、現場でステレオ写真や３Ｄスキャナーを用いて計測したデータを用いることも可能である。
【００３１】
＜感光剤等塗布工程＞
以上の準備の後、墨出しの予定位置周辺（例えば、図５及び図６中に符号Ｒで示す領域であって、コンクリート等の面）に感光剤或いは着色剤によって着色された光硬化樹脂を塗布する。このうち、感光剤としては、青写真で用いられる、クエン酸鉄(III)アンモニウムとヘキサシアノ鉄(III)酸カリウム（別名：赤血塩）と水とを混ぜた液を挙げることができる。この感光剤の成分の混合比率の典型的な例として、クエン酸鉄（III)アンモニウム１０ｇｒａｍと水５０ｃｃを混ぜ、さらに赤血塩（赤血カリ）５ｇｒａｍと水５０ｃｃを混ぜ、最後に２液を混合する。実験では、パワー５０ｍＷ、波長３７５ｎｍのＵＶレーザー光を直径約０．５ｍｍのスポットに集光させてスキャンした場合、１８センチの長さの線を約８秒で描画することができた。
【００３２】
＜レーザー墨出し工程＞
この工程では、ＰＣからの制御により自動的にレーザー墨出しを行うが、レーザービームで墨出しするスポットの位置は以下の方法で求める。その壁や床などのＣＡＤデータ上でのスポットの当たるべき３次元位置から自動レーザー墨出し装置からみた角度（θｘ，θｙ）を計算し、キャリブレーションでもとめた関数をもとに、（ＭｉｒｒｏｒＸ，ＭｉｒｒｏｒＹ）を求め、制御コンピュータから上下左右回転ミラーへコマンドデータ（ＭｉｒｒｏｒＸ，ＭｉｒｒｏｒＹ）を送る。
【００３３】
本発明によれば、墨出しの作業における水平や垂直、高さの確認作業、および墨出し作業を自動化することができる。その結果、作業時間を短縮することができ、また、自動化のおかげで、墨出し工の熟練度に依存しない墨出し精度を出すことができる。また、レーザー放射で平面以外の任意の形状を作ることができるため、地墨ポイントに限定されない任意の位置からレーザー墨出しをおこなうことができる。
【００３４】
本発明に係る墨出し装置は、工作物や建築物の面であって墨出しを行いたい所定の面（以下、“墨出し面”とする）にビーム光を走査して墨出しを行う装置である。
【００３５】
本発明に係る墨出し装置は、図２に符号５で例示するものであって、
・  レーザー光（紫外線レーザー）を出射する光源５０と、
・  該レーザー光を導光する光ファイバー５１と、
・  該光ファイバー５１から出射されるレーザー光を狭ビームにするレンズ５２と、
・  該狭ビームにされたレーザー光を反射して構造物（例えば、建物の床や壁や天井）に照射するミラー５３と、
・  該ミラー５３を上下左右に回転させるアクチュエータ５４と、
により構成されている。前記ミラー５３は、前記アクチュエータ５４によって上下左右に回転駆動できるように構成されているため、レーザービームは該アクチュエータ５４への制御信号により任意の方向に向けることができる。また、前記光源５０からの光を細い光ファイバー５１の一端から入れて他端から出射するようになっているため、該光ファイバーを用いない場合と比べて、より小さな光源を作り出すことができるため、結果として、投影されるレーザースポットの光径を小さくすることができる。さらに、レーザースポットが投影される床、壁、天井と装置５との距離によってレーザースポットのフォーカシングが異なるため、フォーカシング制御装置５５によって前記レンズ５２の位置を調整制御することにより、投影されたレーザースポットを最小化することができる。なお、符号５６で示すものは制御コンピュータであって、前記アクチュエータ５４にはアクチュエータ制御信号を送信し、前記フォーカシング制御装置５５にはフォーカシング制御信号を送信し、前記光源５０にはレーザー光制御信号を送信するように構成されている。
【００３６】
また、本発明に係る墨出し装置は、図６に符号１で例示するように、前記墨出し面Ａにビーム光Ｂを走査する光源２を備えるようにすると良い。この墨出し面Ａには、感光剤或いは着色剤によって着色された光硬化樹脂（不図示）が塗布されており、前記ビーム光Ｂは該感光剤を発色させる或いは該光硬化樹脂を硬化させるものである。ここで、本発明に用いる感光剤としては、例えば、青写真で用いられるサイアノタイプ感光剤を挙げることができ、そのような感光剤を使用する場合には前記光源２から走査する光は紫外線にすると良い。
【００３７】
また、本発明に係る墨出し装置１は、
・  前記墨出し面Ａの凹凸を検知する凹凸検知手段３と、
・  前記ビーム光Ｂの前記墨出し面Ａへの入射角度を前記凹凸検知手段３による検知結果に基づいて随時変更する入射角度変更手段４と、
を備えている。該入射角度変更手段４は、該墨出し面Ａの凹凸にかかわらず該墨出し面Ａの正面から見て直線の光跡が描けるように、前記光源２から前記墨出し面Ａに照射される前記ビーム光Ｂの入射角を（該ビーム光Ｂの走査中に）随時変更できるように構成されている。すなわち、該ビーム光Ｂの入射角は、図８（ａ）に例示するようにθ１→θ２→θ３と随時変更される結果、正面から見たビーム光の光跡は同図（ｂ）に符号Ｃで例示するような直線となる。
【００３８】
本発明によれば、前記墨出し面Ａには感光剤或いは着色剤によって着色された光硬化樹脂が塗布されており、前記ビーム光Ｂは該感光剤を発色させる或いは該光硬化樹脂を硬化させるものであるので、該ビーム光Ｂによって走査された部分の感光剤は発色させられる或いは該光硬化樹脂を硬化させることとなる。該光硬化樹脂を使用した場合には、該ビーム光Ｂによって硬化されていない部分を作業者が除去することにより、硬化された部分（前記ビーム光Ｂが走査された線状の部分）が残り、該部分を墨出し線として利用することができる。また、前記感光剤を使用した場合には、この感光剤の発色部分は明確に目視でき、墨出し線として利用することができる。また、前記墨出し面Ａに段差Ｄ１や凹凸Ｄ２があったとしてもその段差Ｄ１や凹凸Ｄ２の影響を受けることなく、正面から見て直線の線を描くことができる。
【００３９】
ところで、上述の凹凸検知手段３としては、墨出しを行う構造物のＣＡＤデータを記憶している手段及びステレオ写真（或いは、該ステレオ写真を撮影するカメラ）を挙げることができ、該凹凸検知手段３は、
・  前記墨出し面Ａのステレオ写真を撮影するカメラ（不図示）と、
・  該カメラにより撮影したステレオ写真から前記墨出し面Ａの凹凸を解析する凹凸解析部（不図示）と、
を有するようにしても良い。また、上述の凹凸検知手段３としては、墨出しを行う構造物のＣＡＤデータを記憶している手段及び３Ｄスキャナーを挙げることができ、該凹凸検知手段３は、
・  前記３Ｄスキャナーにて取得したデータから前記墨出し面の凹凸を解析する凹凸解析部、
を有するようにしても良い。
【００４０】
一方、本発明に係る墨出し方法は、ビーム光Ｂを前記墨出し面Ａに走査して墨出しを行う墨出し方法であって、
・  該墨出し面Ａの凹凸を検知する工程と、
・  感光剤或いは着色剤によって着色された光硬化樹脂を前記墨出し面Ａに塗布する工程と、
・  該墨出し面Ａの凹凸にかかわらず該墨出し面Ａの正面から見て直線の光跡が描けるように入射角度を調整しながら前記感光剤を発色させる或いは該光硬化樹脂を硬化させるビーム光Ｂを前記墨出し面Ａに走査する工程と、
を備えている。
【００４１】
本発明によれば、前記墨出し面Ａには感光剤或いは着色剤によって着色された光硬化樹脂が塗布されており、前記ビーム光Ｂは該感光剤を発色させる或いは該光硬化樹脂を硬化させるものであるので、該ビーム光Ｂによって走査された部分の感光剤は発色させられる或いは該光硬化樹脂を硬化させることとなる。該ビーム光Ｂによって硬化されていない部分を作業者が除去することにより、硬化された部分（前記ビーム光Ｂが走査された線状の部分）が残り、該部分を墨出し線として利用することができる。また、前記感光剤を使用した場合には、この感光剤の発色部分は明確に目視でき、墨出し線として利用することができる。また、前記墨出し面Ａに凹凸があったとしてもその凹凸の影響を受けることなく、正面から見て直線の線を描くことができる。
【００４２】
なお、上述した光源２は、紫外線を走査するだけでなく、該紫外線と同じ経路で可視光のレーザー光を走査できるようにしておくと良い。図７は、そのような光源の構成の一例を示す模式図であって、図中の符号２０は、可視光のレーザー光Ｂ０を出射するレーザー光出射部を示し、符号２１は、紫外線のレーザー光Ｂ１を出射するレーザー光出射部を示し、符号２２，２３は、それらのレーザー光Ｂ０，Ｂ１を反射するミラーを示し、符号２４，２５はそれらのミラー２２，２３を回転させるモーターを示し、符号２６は、該モーター２４，２５の駆動を制御する制御装置を示し、符号２７は、パソコンを示している。このような装置を用いる場合、次のような手順を実施すると良い。すなわち、３次元位置が予め分かっている複数の基準点に可視光のレーザー光Ｂ０を手動で当て、それぞれのレーザービームの方向を記録しておく。そして、そのデータに基づいて、光源２の位置と姿勢を計算する（後方交会）。墨出し線を引きたいエリアに感光剤或いは着色剤によって着色された光硬化樹脂を塗布する。前記光源２によって紫外線のレーザー光Ｂ１を照射する。その際、前記凹凸検知手段３の検知結果に基づき、前記入射角度変更手段４はレーザー光Ｂ１の照射方向を随時変更する。図７に示す装置においては、制御装置２６が入射角度変更手段を兼用するようにしても良い。
【符号の説明】
【００４３】
１                          墨出し装置
２                          光源
３                          凹凸検知手段
４                          入射角度変更手段
Ａ                          墨出し面
Ｂ                          ビーム光
【図１】
2019015511.tif 000003
【図２】
2019015511.tif 000004
【図３】
2019015511.tif 000005
【図４】
2019015511.tif 000006
【図５】
2019015511.tif 000007
【図６】
2019015511.tif 000008
【図７】
2019015511.tif 000009
【図８】
2019015511.tif 000010
【図９】
2019015511.tif 000011
【図１０】
2019015511.tif 000012